(57)【要約】【課題】４個のモーターで推進を計る内輪上部と外側ドーム内側との間にパンタグラフセットする。そして円筒形ブラシコンセントにはブラシと整流板を取付組立る。【解決手段】主動モーターを回転させ▲２▼の正転逆転ブレーキ付モーターとは個定倍数の１：２  ２：４  ３：４と０：１  ０：２  ０：３と比定倍数で設定付ける。【選択図】図１
0003140344.tif 000002
【実用新案登録請求の範囲】
【請求項１】
４個のモーターで推進を計るが主動モーターで正規回転を計り次に後の３個の正転逆転用モーターで推進のコントロールを計るそして扇形のオモリを利用して四方八方に推進する事が出来るにはまず内側球形ドームの中壁にこれを設置してドームは２個に分けて組立てる次に外側のドームと内側のドームとの中内にもローラーを５個入れその１つにも正転逆転用モーターとギアをセットする外側ドームも２個に分けて組立て上部に又正転逆転用モーターとギヤ付ローターとをセットするそしてドーム上部に円筒形コンセントを設置する円筒形コンセントから内側ドーム上部コードを引き内側ドームの上部にブラシと２つのモーターに通じるパネルを設置するそして電流を流す残りの上部の正転逆転ブレーキ付モーターへは６本のコンセントで良い従って円筒形コンセントのブラシは計１１個で良い
〔書類名〕  実用新案請求の範囲
〔請求項１〕
今までの登録請求では３６０°推進であったが今度の推進装置では四方八方への推進を可能とした宇宙船、航空機、船舶など特に宇宙船の姿勢制御などを目的とする
【考案の詳細な説明】
【技術分野】
【０００１】船舶にも使われるが特に小形宇宙船用
【背景技術】
【０００２】
【非特許文献１】  第３０６４０１４号
【考案の開示】
【考案が解決しようとする課題】ロケットやジェットでは加速度に限界が出て来る
【課題を解決するための手段】電源と４個のモーターで推進を計る
【考案の効果】小形宇宙船用推進装置
【考案を実施するための最良の形態】円形
【実施例】なし
【産業上の利用可能性】宇宙開発又は潜水艦など
【図面の簡単な説明】
【図１】本考案の横面断面図
【図２】本考案の前面断面図
【符号の説明】
▲１▼主動モーター
▲２▼正転逆転ブレーキ付モーター
▲３▼正転逆転ブレーキ付モーター
▲４▼用正転逆転ブレーキ付モーター
▲５▼副主軸
▲６▼主軸
▲７▼ギヤ
▲８▼内輪
▲９▼円筒形コンセント
▲１０▼内側ドーム
▲１１▼外側ドーム
▲１２▼扇形オモリ
▲１３▼アングル
【図１】
0003140344.tif 000003
【図２】
0003140344.tif 000004
【手続補正書】
【提出日】平成18年1月26日(2006.1.26)
【手続補正１】
【補正対象書類名】実用新案登録請求の範囲
【補正対象項目名】全文
【補正方法】変更
【補正の内容】
【実用新案登録請求の範囲】
【請求項１】
まず▲１０▼の内側絶縁コンセント付内輪の中の一方に主動モーターを設置、シャフトを長くして中央部分にアングルを取付けその隣にギヤをフリーにして嵌め主動モーターの先端部分にその一方に設置した▲２▼正転逆転ブレーキ付モーターから来るシャフトに取付けたＵ字形アングルを取付け、それをフリーにしたギアに取付けＵ字形の中に▲１５▼ベアリングを二重にして嵌めて設置する▲１３▼のアングルに設け５個のギアを取付け、ギアにシャフトを取付けアングルを通してその反対側に扇形オモリを同方向に向けて取付ける。次に内側絶縁コンセント付内輪を外側ドームに取付けてある▲３▼の正転逆転ブレーキ付モーターのシャフトを３段階に細かくしてギアを嵌めてセットする。次に外側ドームを３個に分けて組み立てそれに方向用円形アングルを取付けそして▲４▼の正転逆転ブレーキ付モーターをセット▲１１▼外側ドーム天井部分に円筒形コンセントを取付ける。円筒形コンセントからコードをのばす一方▲１６▼パンタグラフに依って主シャフトで回転させ副シャフトを第一の推進方向を設定付け▲３▼▲４▼の正転逆転ブレーキ付モーター全て４個のモーターで四方八方に推進可能とするものである。以上の如く構成された航空宇宙船用遠心力エンジン。
【手続補正書】
【提出日】平成18年4月17日(2006.4.17)
【手続補正１】
【補正対象書類名】実用新案登録請求の範囲
【補正対象項目名】全文
【補正方法】変更
【補正の内容】
【実用新案登録請求の範囲】
【請求項１】
１）まず▲１０▼の内側絶縁コンセント付内輪の中の一方に主動モーターを設置、シャフトを長くして中央部分にアングルを取付けその隣にギヤをフリーにして嵌め主動モーターの先端部分にその一方に設置した▲２▼正転逆転ブレーキ付モーターから来るシャフトに取付けたＵ字形アングルを取付け、それをフリーにしたギアに取付けＵ字形の中に▲１５▼ベアリングを二重にして嵌めて設置する▲１３▼のアングルに設け５個のギアを取付け、ギアにシャフトを取付けアングルを通してその反対側に扇形オモリを同方向に向けて取付ける。次に内側絶縁コンセント付内輪を外側ドームに取付けてある▲３▼の正転逆転ブレーキ付モーターのシャフトを３段階に細かくしてギアを嵌めてセットする。次に外側ドームを３個に分けて組み立てそれに方向用円形アングルを取付けそして▲４▼の正転逆転ブレーキ付モーターをセット▲１１▼外側ドーム天井部分に円筒形コンセントを取付ける。円筒形コンセントからコードをのばす一方▲１６▼パンタグラフに依って主シャフトで回転させ副シャフトを第一の推進方向を設定付け▲３▼▲４▼の正転逆転ブレーキ付モーター全て４個のモーターで四方八方に推進可能とするものである。
２）▲７▼のギヤシフト▲１３▼のアングルにベアリングを２連嵌める。▲１０▼の内側絶縁コンセント付内輪は外側の方にギヤを付け▲３▼のモーターのギヤつまり計４個のギヤでセットする。従って内輪には▲１▼の主動モーターと▲２▼のモーター用のレールを付ける。そして▲１０▼のパンタグラフに依って作動させる。▲４▼の正転逆転用モーターは外側よりコードを引いてセットする。▲３▼のモーターはもう一つレールを作りセットする。一方外側ドームに腕を付け接点を得る。以上の如く構成された航空宇宙船用遠心力エンジン。
【手続補正書】
【提出日】平成18年7月5日(2006.7.5)
【手続補正１】
【補正対象書類名】実用新案登録請求の範囲
【補正対象項目名】全文
【補正方法】変更
【補正の内容】
【実用新案登録請求の範囲】
【請求項１】
イ）まず▲１０▼の帯状絶縁駆動用内輪物質の横の部分にギヤを付け、中の部分に▲１▼、▲２▼のモーター駆動用のレールを取付ける。そして▲１▼、▲２▼のモーターを内輪中央部分まで伸ばして次に主シャフトに４の字形の▲１３▼のアングルを取付け、▲１３▼のアングルに５個の穴を開け中央の穴は▲６▼のシャフトに取付け、そしてその裏側に５個のギヤの中央のギヤをフリーにするが、他の４個のギヤは２１のシャフトを付けて▲１３▼のアングルにベアリングを付けて取付ける。４個のギヤのアングルを嵌込んで反対側に▲１２▼の扇形アングルを同じ方向を向けて取付ける。▲１▼の主動モーター反対側に▲２▼の正転逆転用モーターを▲１０▼のコンセント付内輪に取付ける。そのモーターの▲５▼のシャフトの先端に▲１５▼のベアリングを器型のジグを中央のフリーになっているギヤに取付け、中にベアリングを２個重ねてセットする。そして▲１０▼の外側ドームを２個にして組立るか▲１０▼の内輪のギヤに噛み合わせる様に▲１▼のモーター１個と後の３個の所のシャフトにギヤを付けセットして置く。そして▲１１▼の外側ドームの天井部分に▲１８▼の鞘付アングル▲１１▼の円筒形ギヤを取手付を嵌めてセットして▲４▼のモーターを取付ける。そして更に天井中央内側部分に▲１６▼のパンタグラフを設置する。そして▲３▼の内輪駆動用モーターの▲１９▼のパンタグラフを取付ける。そして▲１８▼にその▲２０▼のレールを設置して置く。そして更に▲１１▼の天井中央部分に▲９▼の円筒形コンセントを取付けセットし▲１６▼のパンタグラフに電源を流すようにする。▲１▼のモーター及び▲２▼のモーターのシャフトは▲１１▼の外側ドーム天井部分に２個の２２の穴を開けそこからモーターが熱を帯びない様に▲６▼及び▲５▼に穴を開け空気を入れ替わる様にする。
ロ）▲７▼のギヤの循環油は４個の外側のギヤに４個の穴を開け４角の枠を入れそれにニップルを付けギヤの内側中央依り斜めに外に油が出る様にして、又歯と歯の真中に羽交い締めに穴を開けるそして穴にキャップして置き中にグリスを入れて置く。グリスは高速で回転の時出るようにする。
ハ）▲１１▼そして▲９▼のコンセント依り▲１５▼のパンタグラフに電流を流すと共に▲２０▼のレールと▲４▼のモーターにも流す事の出来る様にして置き▲１▼と▲２▼と▲３▼と▲４▼のそれぞれのモーターに依って特に▲１▼のモーターと▲２▼のモーターに依って▲１２▼の扇形オモリの遠心重力の動きに依ってまず推進方向を探り更に▲３▼と▲４▼のモーターの噛み合わせに依って、あらゆる方向に推進可能と云う事になって来る。以上の如く構成された航空宇宙船用遠心力エンジン。
【手続補正書】
【提出日】平成18年10月3日(2006.10.3)
【手続補正１】
【補正対象書類名】明細書
【補正対象項目名】全文
【補正方法】変更
【補正の内容】
【考案の詳細な説明】
【技術の分野】
【０００１】小型宇宙船用推進装置
【背景技術】
【０００２】ギヤの循環装置
【特許文献】非特許（３０６４０１４号）
【考案の開示】
【考案が解決するための手段】
【０００４】遠心重力の応用
【考案の効果】
【０００５】ギヤの特殊性
【課題が解決するための手段】
【０００６】オイルの逆ニップルの使用
【考案の効果】
【０００７】トップで飛行してその時油を出す
【０００８】（数１）  ０：１０：２０：３と比歩倍数で回す
【０００９】表  ギヤの横にまず穴を開け、中に枠を入れそれにニップを付けギヤ間に羽交い締め、穴を開け蓋をしておき中にグリスを入れる
【０００１０】
【化１】
主動モーターを回すと扇形のオモリが同一方向を向いて回転し遠心重力の働きに依って推進可能とする
【実施例】
【０００１１】（なし）
【考案上の利用の可能性】
【０００１２】宇宙開発
【符号の説明】
【図面の簡単な説明】
【図１】側面断面図
【図２】前面断面図  （１）▲１▼の主動モーターを回し▲２▼  ▲３▼  ▲４▼の正転逆転用モーターを利用して四方八方に推進を計る
【符号の説明】
▲１▼  主動モーター
▲２▼  正転逆転ブレーキ付モーター
▲３▼  正転逆転ブレーキ付モーター
▲４▼  正転逆転ブレーキ付モーター
▲５▼  副シャフト
▲６▼  主シャフト
▲７▼  ギア
▲８▼  内輪用歯車
▲９▼  円形コンセント
▲１０▼  内側絶縁コンセント付内輪
▲１１▼  外側ドーム
▲１２▼  扇形オモリ
▲１３▼  アングル
▲１４▼  オモリシャフト
▲１５▼  ベアリング
▲１６▼  パンタグラフ
▲１７▼  円筒形取手
▲１８▼  鞘付アングル
▲１９▼  内輪駆動モーター用パンタグラフ
▲２０▼  内輪駆動モーター用レール
▲２１▼  ギヤシャフト用二重ベアリング
▲２２▼  温度用空気穴
▲２３▼  モーター温度用シャフト孔
▲２４▼  キャップ付逆ニップ入オイル用の穴
【手続補正２】
【補正対象書類名】図面
【補正対象項目名】全図
【補正方法】変更
【補正の内容】
【図１】
0003140344.tif 000005
【図２】
0003140344.tif 000006
【手続補正３】
【補正対象書類名】実用新案登録請求の範囲
【補正対象項目名】全文
【補正方法】変更
【補正の内容】
【実用新案登録請求の範囲】
まずこの考案は、遠心重力を応用したもので、４個のモーターに依り回転数とその位置を計る事に依って、あらゆる方向をキャッチして推進を可能とするものである。
【請求項１】
まず▲１０▼の帯状絶縁駆動用内輪物質の横の部分にギヤを付け、中の部分に▲１▼、▲２▼のモーター駆動用のレールを取付ける。そして▲１▼、▲２▼のモーターを内輪中央部分まで伸ばして次に、主シャフトに４の字形の▲１３▼のアングルを取付け、▲１３▼のアングルに５個の穴を開け中央の穴は▲６▼のシャフトに取付け、そしてその裏側５個のギヤの中央のギヤをフリーのするが、他の４個のギヤは▲２１▼のシャフトを付けて▲１３▼のアングルにベアリングを付けて取付ける。４個のギヤのアングルを嵌込んで反対側に▲１２▼の扇形オモリを同じ方向を向けて取付ける。▲１▼の主動モーター反対側に▲２▼の正転逆転用モーターを▲１０▼のコンセント付内輪に取付ける。そのモーターの▲５▼のシャフトの先端に▲１５▼のベアリングを器型のジグを中央のフリーになっているギヤに取付け、中にベアリングを２個重ねてセットする。そして▲１０▼の外側ドームを２個にして組立るか、▲１０▼の内輪のギヤに噛み合わせるように▲１▼のモーター１個と後の３個の所のシャフトにギヤを付けセットしておく。そして▲１１▼の外側ドームの天井部分に▲１８▼の鞘付アングル、▲１１▼の円筒形ギヤを取手付を嵌めてセットして、▲４▼のモーターを取付ける。そして更に天井中央内側部分に▲１６▼のパンタグラフを設置する。そして▲３▼の内輪駆動用モーターの▲１９▼のパンタグラフを取付ける。そして▲１８▼にその▲２０▼のレールを設置して置く。そして更に▲１１▼の天井中央部分に▲９▼の円筒形コンセントを取付けセットし▲１６▼のパンタグラフに電源を流すようにする。▲１▼のモーター及び▲２▼のモーターのシャフトは▲１１▼の外側ドーム天井部分に２個の▲２２▼の穴を開けそこからモーターが熱をおびないように▲６▼及▲５▼に穴を開け空気を入れ替わる様にする。▲７▼のギヤの循環油は４個の外側のギヤに４個の穴を開け、４角の枠を入れそれにニップルを付けギヤの内側中央より斜めに外に油が出る様にして又、歯と歯の真中に羽交い締めに穴を開ける。そして穴にキャップして置き、中にグリスを入れておく。グリスは高速で回転の時、出る様にする。▲１１▼そして▲９▼のコンセントより▲１５▼のパンタグラフに電流を流すと共に、▲２０▼のレールと▲４▼のモーターにも流す事の出来るようにしておき、▲１▼と▲２▼と▲３▼と▲４▼のそれぞれのモーターに依って、特に▲１▼のモーターと▲２▼のモーターに依って、▲１２▼の扇形オモリの遠心重力の動きによってまず推進方向を探り、更に▲３▼と▲４▼のモーターの噛み合わせによって、あらゆる方向に推進可能と言う事になって来ると云う構造を有する航空宇宙船用遠心力エンジン。
【手続補正書】
【提出日】平成18年12月20日(2006.12.20)
【手続補正１】
【補正対象書類名】実用新案登録請求の範囲
【補正対象項目名】全文
【補正方法】変更
【補正の内容】
【実用新案登録請求の範囲】
【請求項１】
まず内側絶縁コンセント付内輪の内側に、主動モーターを取付けそのシャフトを伸長し中を空洞にして、その先にアングルを取付けその先に真中のギヤを、ベアリングを二重にして取付ける、そのギヤはその反対側にある正転逆転ブレーキ付モーターで制御出来る様にベアリングをこれも二重にして取付ける。一方アングルは、四方に伸ばして４個のシャフトに４個のギヤと４個の扇形オモリを、シャフトを挟んで同じ向きにオモリは取付ける。そして外側に１個の正転逆転ブレーキ付モーターと３個の内輪用歯車を外側ドームにセットし、そしてパンタグラフの依ってこれらモーターが作動出来る様に設計する。そして外側ドームは円筒形取付けギヤをそれに付ける。それを内輪駆動モーター用レールに正転逆転用ブレーキ付モーターを設置しギヤが駆動出来る様に同じく設置する。天井部分に温度用空気穴を設け次に円形コンセント取付ける。そして外側ドームは、内輪駆動用パンタグラフで鞘付アングルで電気を補促する。内輪用２個のモーターも同様にして５本のパンタグラフで電気を補促する。
【請求項２】
４個のギヤの潤滑油は、４個のギヤに８個横に穴を開けその中に枠を入れ、枠にニップルを入れてギヤとギヤの間に羽交締めに穴を開け、そして枠の中にグリスを入れて置いて穴はキャップをして置く。そして４個の扇形オモリを同一方向に回転し遠心重力の働きをさせる。更に他の二つの正転逆転ブレーキ付モーターに作動に依って四方八方に推進可能とする。この装置でこれは船舶に勿論、成層圏内でも活用出来るものである。又ギヤの穴の中のグリスは、高速で回転させる時に油を出す。以上の如く構造を有する航空宇宙船用遠心力推進エンジン。
【手続補正書】
【提出日】平成19年3月12日(2007.3.12)
【手続補正１】
【補正対象書類名】実用新案登録請求の範囲
【補正対象項目名】全文
【補正方法】変更
【補正の内容】
【実用新案登録請求の範囲】
【請求項１】
まず外側ドームの天井部分に温度用空気穴を明け電気コードが入る様に計りその隣に円形のコンセントの柱を取付け外のコンセントと組合せる様にする次に円筒形取手を外側ドームに取付けギヤを付けて鞘付アングルに嵌めるそれに正転逆転ブレーキ付モーターを取付け組合せ外側ドームが３６０℃回転出来る様に計るそして外側ドームの内側にパンタグラフを取付ける外側ドームにももう一つ外側に内輪駆動モーター用パンタグラフを取付け鞘付アングルと連絡を計って置くそしてその内輪には主動モーターとそのシャフトを伸ばしてその反対側にもう一つ正転逆転用ブレーキ付モーターを取付け主シャフトには角形のアングルを固定して取付けその先にはベアリング入れフリーにしギヤを取付ける一方副シャフトはお腕形の器をギヤに取付けその中にベアリングを二重にして置くそしてアングルの隅には穴を明けベアリングを入れシャフトを通して前側には扇形オモリ裏側にはギヤを嵌める内側絶縁コンセント付内輪はその横に腕形アングルを脇に付け一方には正転逆転用ブレーキ付モーターをもう一方の方にはベアリングを付けてシャフトを外側ドームに固定して置く
【請求項２】
４個のギヤの潤滑油は、ギヤは８個横に穴を開けその中に枠を入れ、枠にニップルを入れて山と山の間に羽交締めに穴を開け、そして枠の中にグリスを入れて置いて穴はキャップをして置く。そして４個の扇形オモリを同一方向に回転し遠心重力の働きをさせる。そして主動モーター１個と別の３個の正転逆転ブレーキ付モーターに作動に依って四方八方に推進可能とする。この装置でこれは船舶に勿論、成層圏内でも活用出来るものである。又ギヤの穴の中のグリスは、高速で回転させる時に油を出す。しかしこの１基だけでは宇宙船に取付けた場合機体が傾いて来る。以上の如く構造を有する航空宇宙船用遠心力エンジン。
【手続補正書】
【提出日】平成19年5月10日(2007.5.10)
【手続補正１】
【補正対象書類名】実用新案登録請求の範囲
【補正対象項目名】全文
【補正方法】変更
【補正の内容】
【実用新案登録請求の範囲】
【請求項１】
まず外側ドームの天井部分に温度用空気穴を明け電気コードが入る様に計りその隣に円形のコンセントの柱を取付け外のコンセントと組合せる様にする次に円筒形取手を外側ドームに取付けギヤを付けて鞘付アングルに嵌めるそれに正転逆転ブレーキ付モーターを取付け組合せ外側ドームが３６０℃回転出来る様に計るそして外側ドームの内側にパンタグラフを取付ける外側ドームにももう一つ外側に内輪駆動モーター用パンタグラフを取付け鞘付アングルと連絡を計って置くそしてその内輪には主動モーターとそのシャフトを伸ばしてその反対側にもう一つ正転逆転用ブレーキ付モーターを取付け主シャフトには角形のアングルを固定して取付けその先にはベアリング入れフリーにしギヤを取付ける一方副シャフトはお腕形の器をギヤに取付けその中にベアリングを二重にして置くそしてアングルの隅には穴を明けベアリングを入れシャフトを通して前側には扇形オモリ裏側にはギヤを嵌める内側絶縁コンセント付内輪はその横に腕形アングルを脇に付け一方には正転逆転用ブレーキ付モーターをもう一方の方にはベアリングを付けてシャフトを外側ドームに固定して置く
【請求項２】
中心ギヤを除き３個のギヤの潤滑油はギヤに１５個程度ギヤ裏側依り孔を開けその中に枠を入れ、枠にニップルを入れてギヤの山と山の間に羽交締めに孔を開け、そして枠の中にグリスを入れて置いて孔はキャップをして置く。そして３個の扇形オモリを同一方向に回転し遠心重力の働きをさせる。そして主動モーター１個と別の３個の正転逆転ブレーキ付モーターに作動に依って四方八方に推進可能とする。この装置でこれは船舶に勿論、成層圏外でも活用出来るものである。又ギヤの穴の中のグリスは、高速で回転させる時に油を出す。しかしこの１基だけでは宇宙船に取付けた場合機体が傾いて来る。以上の如く構造を有する航空宇宙船用遠心力エンジン。
【手続補正２】
【補正対象書類名】図面
【補正の内容】
0003140344.tif 000007
0003140344.tif 000008
0003140344.tif 000009
0003140344.tif 000010
0003140344.tif 000011
0003140344.tif 000012
【手続補正書】
【提出日】平成19年5月28日(2007.5.28)
【手続補正１】
【補正対象書類名】実用新案登録請求の範囲
【補正対象項目名】全文
【補正方法】変更
【補正の内容】
【実用新案登録請求の範囲】
【請求項１】
まず外側ドームの天井部分に温度用空気穴を明けそれに円形のコンセントの柱を取付け外のコンセントと組合せる様にする次に円筒形取手を外側ドームに取付けギヤを付けて鞘付アングルに嵌めるそれに正転逆転ブレーキ付モーターを取付け組合せ外側ドームが３６０°方位が出来る様に計るそして外側ドームにももう一つ内輪駆動モーター用パンタグラフを取付け鞘付アングルにレールを設置しセットして置きそしてその内輪には主動モーターとそのシャフトを伸ばしてその反対側にもう一つ正転逆転用ブレーキ付モーターを取付け主シャフトには三角形のアングルを固定して取付けその先には中心ギアをフリーにして主シャフトに取付ける一方副シャフトはお椀形の器を中心ギヤに取付けるそして三角形のアングルの隅には穴を明けベアリングを入れシャフトを通して前側には同一方向を向けて各々３個の扇形オモリ裏側には同じく３個のギヤを嵌めて取付けて置くそして絶縁コンセント付内輪はその横にお椀形アングルを脇にボルトで取り付けて一方には正転逆転用ブレーキ付モーターをもう片方にはベアリングを設置しシャフトを外側ドームに固定して置いて絶縁コンセント付内輪が３６０°方位を可能にする様に計る
【請求項２】
中心ギヤを除き３個のギヤの潤滑油は１５個ギヤ裏側依り孔を開けその中にニップルを付けギアの山と山との間にＶ字型に外に穴を開け孔の中にグリスを詰めて置きギアが高速で回転する時にグリスがギアの山に掛かる様にするそして孔は蓋をして置く。そして３個の扇形オモリを同一方向に回転し遠心重力の働きをさせるそして主動モーター１個と別の３個の正転逆転ブレーキ付モーターに作動に依って四方八方に推進可能とする。この装置でこれは船舶に勿論、成層圈外でも活用出来るものである。
【請求項３】
中心ギアと３個のギアは同一のものとし更に３個の扇形のオモリはすべて同一のものとするがコンセントの筋が７本１個のギアの油壷は５個中心ギアを除きギアが３個でつまり７・５・３でなければ機体に振動が発生するそれとこの１基だけ機体に取り付けた場合は航行中に機体が傾いて来る。以上の如く構造を有する航空宇宙船用遠心力エンジン。
【手続補正２】
【補正対象書類名】明細書
【補正の内容】
0003140344.tif 000013
0003140344.tif 000014
0003140344.tif 000015
【手続補正書】
【提出日】平成19年7月17日(2007.7.17)
【手続補正１】
【補正対象書類名】実用新案登録請求の範囲
【補正対象項目名】全文
【補正方法】変更
【補正の内容】
【実用新案登録請求の範囲】
【請求項１】
まず外側ドームの天井部分に温度用空気穴を明けそれに円形のコンセントの柱を取付け外のコンセントと組合せる様にする次に円筒形取手を外側ドームに取付けギヤを付けて鞘付アングルに嵌めるそれに正転逆転ブレーキ付モーターを取付け組合せ外側ドームが３６０°方位が出来る様に計るそして外側ドームにももう一つ内輪駆動モーター用パンタグラフを取付け鞘付アングルにレールを設置しセットして置きそしてその内輪には主動モーターとそのシャフトを伸ばしてその反対側にもう一つ正転逆転用ブレーキ付モーターを取付け主シャフトには三角形のアングルを固定して取付けその先には中心ギアをフリーにして主シャフトに取付ける一方副シャフトはお椀形の器を中心ギヤに取付けるそして三角形のアングルの隅には穴を明けベアリングを入れシャフトを通して前側には同一方向を向けて各々３個の扇形オモリ裏側には同じく３個のギヤを嵌めて取付けて置くそして絶縁コンセント付内輪はその横にお椀形アングルを脇にボルトで取り付けて一方には正転逆転用ブレーキ付モーターをもう片方にはベアリングを設置しシャフトを外側ドームに固定して置いて絶縁コンセント付内輪が３６０°方位を可能にする様に計る中心ギヤを除き３個のギヤの潤滑油は１５個ギヤ裏側依り孔を開けその中にニップルを付けギアの山と山との間にＶ字型に外に穴を開け孔の中にグリスを詰めて置きギアが高速で回転する時にグリスがギアの山に掛かる様にするそして孔は蓋をして置く。そして３個の扇形オモリを同一方向に回転し遠心重力の働きをさせるそして主動モーター１個と別の３個の正転逆転ブレーキ付モーターに作動に依って四方八方に推進可能とする。
【請求項２】
中心ギアと３個のギアは同一のものとし更に３個の扇形のオモリはすべて同一のものとするがコンセントの筋が７本１個のギアの油壷は５個中心ギアを除きギアが３個でつまり７・５・３でなければ機体に振動が発生するそれとこの１基だけ機体に取り付けた場合は航行中に機体が傾いて来る。以上請求項１を引用した遠心重力を特長とする航空宇宙船用遠心力エンジン。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】本考案は成層圏内又は成層圏外でも推進可能とする
【背景技術】
【０００２】宇宙船に取付けようとするもので主動モーター１個と別の３個の正転逆転ブレーキ付モーターで制御し四方八方に推進を動かせ航行を試みる【０００３】
【非特許文献】［実願第３０６４０１４号］
【考案の開示】
【考案が解決しようとする課題】
【０００４】ギヤの潤滑油をどうするかが問題であったそれと外側ドームの組立方法
【課題を解決するための手段】
【０００５】この装置の駆動力は生物科学電池とレーダーコンピューターを使用する以外は使用する事は無いが大型になると一次電池に原子力電池を使用する
【考案の効果】
【０００６】この宇宙船は人の乗らないもので偵察とかに使うものである
【考案を実施するための最良の形態】
【０００７】機体は合せドーム型とするがまず内輪を組立て外側ドームは球形とし上下を合せて組立てる
【実施例１】
【０００８】日本国内ではない
【産業上の利用可能性】
【０００９】速度が加速度的に出るので彗星の軌道などをそることが出来る
【図面の簡単な説明】
【図１】側面断面図
【図２】前面断面図  主動モーターのギヤと他の３個のギヤに付いて居る扇形オモリを同一方向に回転させ遠心重力を働かして四方八方に推進を計ろうとするものである
【符号の説明】
▲１▼  主動モーター
▲２▼  正転逆転ブレーキ付モーター
▲３▼  正転逆転ブレーキ付モーター
▲４▼  正転逆転ブレーキ付モーター
▲５▼  副シャフト
▲６▼  主シャフト
▲７▼  ギヤ
▲８▼  内輪用ベアリング
▲９▼  円形コンセント
▲１０▼  内側絶縁コンセント付内輪
▲１１▼  外側ドーム
▲１２▼  扇形オモリ
▲１３▼  アングル
▲１４▼  オモリシャフト
▲１５▼  ベアリング
▲１６▼  パンタグラフ
▲１７▼  円筒形取手
▲１８▼  鞘付アングル
▲１９▼  内輪駆動モーター用パンタグラフ
▲２０▼  内輪駆動モーター用レール
２１  ギヤシャフト用二重ベアリング
２２  温度用空気穴
２３  モーター温度用シャフト穴
２４  キャップ付ニップル入グリス用の孔
２５  Ｖ字形グリス用の穴
２６  内輪用取付ボートー
【手続補正３】
【補正対象書類名】手続補正書
【補正対象項目名】手続補正２
【補正方法】変更
【補正の内容】
【手続補正２】
【補正対象書類名】図面
【補正対象項目名】全図
【補正方法】変更
【補正の内容】
【図１】
0003140344.tif 000016
【図２】
0003140344.tif 000017
【手続補正書】
【提出日】平成19年10月9日(2007.10.9)
【手続補正１】
【補正対象書類名】実用新案登録請求の範囲
【補正対象項目名】全文
【補正方法】変更
【補正の内容】
【実用新案登録請求の範囲】
【請求項１】
まず外側ドームの天井部分に温度用空気穴を明けそれに円形のコンセントの柱を取付け外のコンセントと組合せる様にする次に円筒形取手を外側ドームに取付けギヤを付けて鞘付アングルに嵌めるそれに正転逆転ブレーキ付モーターを取付け組合せ外側ドームが３６０°方位が出来る様に計るそして外側ドームにももう一つ内輪駆動モーター用パンタグラフを取付け鞘付アングルにレールを設置しセットして置きそしてその内輪には主動モーターとそのシャフトを伸ばしてその反対側にもう一つ正転逆転用ブレーキ付モーターを取付け主シャフトには三角形のアングルを固定して取付けその先には中心ギアをフリーにして主シャフトに取付ける一方副シャフトはお椀形の器を中心ギヤに取付けるそして三角形のアングルの隅には穴を明けベアリングを入れシャフトを通して前側には同一方向を向けて各々３個の扇形オモリ裏側には同じく３個のギヤを嵌めて取付けて置くそして絶縁コンセント付内輪はその横にお椀形アングルを脇にボルトで取り付けて一方には正転逆転用ブレーキ付モーターをもう片方にはベアリングを設置しシャフトを外側ドームに固定して置いて絶縁コンセント付内輪が３６０°方位を可能にする様に計る中心ギヤを除き３個のギヤの潤滑油は１５個ギヤ裏側依り孔を開けその中にニップルを付けギアの山と山との間にＶ字型に外に穴を開け孔の中にグリスを詰めて置きギアが高速で回転する時にグリスがギアの山に掛かる様にするそして孔は蓋をして置く。そして３個の扇形オモリを同一方向に回転し遠心重力の働きをさせるそして主動モーター１個と別の３個の正転逆転ブレーキ付モーターに作動に依って四方八方に推進可能とする。
【請求項２】
中心ギアと３個のギアは同一のものとし更に３個の扇形のオモリはすべて同一のものとするがコンセントの筋が５本１個のギアの油壷は５個中心ギアを除きギアが３個でつまり５・３でなければ機体に振動が発生するそれとこの１基だけ機体に取り付けた場合は航行中に機体が傾いて来る。
【請求項３】
４個の滑車にそれぞれギザを付けそして中心の滑車に両面ギザ付Ｖベルトを嵌めそして４個の滑車に円盤をビスで取り付けるそれには中心滑車と副シャフトの中間にＶベルトが取り外しが出来る様ジョイントを設けて置くが滑車に７本のボルトでジョイントを設定出来る様に計る主シャフトに付いて居る二重ベアリングは滑車に押ネジを設定する以上の如く構造を有する航空宇宙船用遠心力エンジン。
【手続補正３】
【補正対象書類名】明細書
【補正対象項目名】符号の説明
【補正方法】変更
【補正の内容】
【符号の説明】
▲１▼  主動モーター
▲２▼  正転逆転ブレーキ付モーター
▲３▼  正転逆転ブレーキ付モーター
▲４▼  正転逆転ブレーキ付モーター
▲５▼  副シャフト
▲６▼  主シャフト
▲７▼  ギヤ
▲８▼  内輪用ベアリング
▲９▼  円形コンセント
▲１０▼  内側絶縁コンセント付内輪
▲１１▼  外側ドーム
▲１２▼  扇形オモリ
▲１３▼  アングル
▲１４▼  オモリシャフト
▲１５▼  ベアリング
▲１６▼  パンタグラフ
▲１７▼  円筒形取手
▲１８▼  鞘付アングル
▲１９▼  内輪駆動モーター用パンタグラフ
▲２０▼  内輪駆動モーター用レール
２１  ギヤシャフト用二重ベアリング
２２  温度用空気穴
２３  滑車取り外し用ボルト穴
２４  キャップ付ニップル入グリス用の孔
２５  Ｖ字形グリス用の穴
２６  内輪用取付ボルト
２７  取り外し用ジョイント
【手続補正４】
【補正対象書類名】図面
【補正対象項目名】全図
【補正方法】変更
【補正の内容】
【図１】
0003140344.tif 000018
【図２】
0003140344.tif 000019
【手続補正書】
【提出日】平成19年12月17日(2007.12.17)
【手続補正１】
【補正対象書類名】実用新案登録請求の範囲
【補正対象項目名】全文
【補正方法】変更
【補正の内容】
【実用新案登録請求の範囲】
【請求項１】
（１）まず外側ドームの天井部分に温度用空気穴を明けそれに円形のコンセントの柱を取付け、外のコンセントと組合せる様にし、次に円筒形取手を外側ドームに取付けギヤを付けて鞘付アングルに嵌め、それに正転逆転ブレーキ付モーターを取付け組合せ外側ドームが３６０°方位が出来る様に計り、そして外側ドームにももう一つ内輪駆動モーター用パンタグラフを取付け、鞘付アングルにレールを設置しセットして置き、そしてその内輪には主動モーターとそのシャフトを伸ばしてその反対側にもう一つ正転逆転用ブレーキ付モーターを取付け、主シャフトには三角形のアングルを固定して取付け、その先には中心ギアをフリーにして主シャフトに取付け、一方副シャフトはお椀形の器を中心ギヤに取付け、そして三角形のアングルの隅には穴を明けベアリングを入れ、シャフトを通して前側には同一方向を向けて各々３個の扇形オモリ裏側には同じく３個のギヤを嵌めて取付けて置き、そして絶縁コンセント付内輪はその横にお椀形アングルを脇にボルトで取り付けて一方には正転逆転用ブレーキ付モーターをもう片方にはベアリングを設置し、シャフトを外側ドームに固定して置いて絶縁コンセント付内輪が３６０°方位を可能にする様に計り、中心ギヤを除き３個のギヤの潤滑油は１５個ギヤ裏側依り孔を開けその中にニップルを付け、ギアの山と山との間にＶ字型に外に穴を開け孔の中にグリスを詰めて置き、ギアが高速で回転する時にグリスがギアの山に掛かる様にし、そして孔は蓋をして置く。
（２）そして３個の扇形オモリを同一方向に回し遠心重力の働きをさせ、そして主動モーター１個と別の３個の正転逆転ブレーキ付モーターに作動に依って四方八方に推進可能とする。
（３）中心ギアと３個のギアは同一のものとし更に３個の扇形のオモリはすべて同一のものとするがコンセントの筋が５本１個のギアの油壷は５個中心ギアを除きギアが３個でつまり５・３でなければ機体に振動が発生するそれとこの１基だけ機体に取り付けた場合は航行中に機体が傾いて来る。
（４）４個の滑車にそれぞれギザを付けそして中心の滑車に両面ギザ付Ｖベルトを嵌めそして４個の滑車に円盤をビスで取り付けるそれには中心滑車と副シャフトの中間にＶベルトが取り外しが出来る様ジョイントを設けて置くが滑車に７本のボルトでジョイントを設定出来る様に計る主シャフトに付いて居る二重ベアリングは滑車に押ネジを設定する。シャフトのぶれは６本のボルトとナットで調整を計る様にする。
以上の如く構造を有する航空宇宙船用遠心力エンジン。
【手続補正２】
【補正対象書類名】手続補正書
【補正対象項目名】手続補正３
【補正方法】変更
【補正の内容】
【手続補正３】
【補正対象書類名】明細書
【補正対象項目名】全文
【補正方法】変更
【補正の内容】
【考案の詳細な説明】
【技術分野】
【０００１】船舶にも使われるが特に小形宇宙船用
【背景技術】
【０００２】
【非特許文献１】  第３０６４０１４号
【考案の開示】
【考案が解決しようとする課題】
【０００３】ロケットやジェットでは加速度に限界が出て来る
【課題を解決するための手段】
【０００４】電源と４個のモーターで推進を計る
【考案の効果】
【０００５】小形宇宙船用推進装置
【考案を実施するための最良の形態】
【０００６】円形
【実施例】
【０００７】なし
【産業上の利用可能性】
【０００８】宇宙開発又は潜水艦など
【図面の簡単な説明】
【０００９】
【図１】本考案の横面断面図
【図２】本考案の前面断面図
【符号の説明】
【００１０】▲１▼  主動モーター
▲２▼  正転逆転ブレーキ付モーター
▲３▼  正転逆転ブレーキ付モーター
▲４▼  正転逆転ブレーキ付モーター
▲５▼  副シャフト
▲６▼  主シャフト
▲７▼  ギヤ
▲８▼  内輪用ベアリング
▲９▼  円形コンセント
▲１０▼  内側絶縁コンセント付内輪
▲１１▼  外側ドーム
▲１２▼  扇形オモリ
▲１３▼  アングル
▲１４▼  オモリシャフト
▲１５▼  ベアリング
▲１６▼  パンタグラフ
▲１７▼  円筒形取手
▲１８▼  鞘付アングル
▲１９▼  内輪駆動モーター用パンタグラフ
▲２０▼  内輪駆動モーター用レール
▲２１▼  ギヤシャフト用二重ベアリング
▲２２▼  温度用空気穴
▲２３▼  滑車取り外し用ボルト穴
▲２４▼  キャップ付ニップル入グリス用の孔
▲２５▼  Ｖ字形グリス用の穴
▲２６▼  内輪用取付ボルト
▲２７▼  取り外し用ジョイント